(57)【要約】【課題】安価に実現でき、かつコンピュータ管理を可能とするトルクレンチを提供することである。【解決手段】本発明のトルクレンチは、受信する電磁波を駆動源として無線通信する無線タグを備えることを特徴とする。本発明によれば、無線タグが記憶する識別情報等を利用して、該無線タグが取り付けられたトルクレンチの管理をコンピュータで行うことができる。本発明によれば、書き換え可能な無線タグを用いる場合、トルクレンチを校正する度に校正日を更新することで、作業者は、各トルクレンチの校正状況を容易に把握および分析できる。【選択図】図１
2018058195.tif 000002
【特許請求の範囲】
【請求項１】
受信する電磁波を駆動源として無線通信する無線タグを備えることを特徴とするトルクレンチ。
【請求項２】
締結部材を締め付けるトルクレンチ本体と、
前記無線タグを保持して前記トルクレンチ本体に着脱可能に装着されるホルダと、を備えることを特徴とする請求項１に記載のトルクレンチ。
【請求項３】
前記トルクレンチ本体は、
締め付けトルクが入力されるヘッドと、
前記締め付けトルクが設定値に達するまで前記ヘッドの回動を規制するスラスタと、
前記ヘッド及び前記スラスタを連結するトグルと、
前記ヘッドに設けられ、前記トグルの角度を調整する調整ネジと、
前記ヘッド、前記スラスタ、前記トグル、および前記調整ネジを収容するチューブであって、前記調整ネジが接触する平坦面を含む凹部と、前記凹部と対向する位置に形成され、前記調整ネジを回す冶具が挿入される孔部と、を有するチューブと、を備え、
前記ホルダは、前記チューブの前記凹部に取り付けられて前記孔部を覆うことを特徴とする請求項２に記載のトルクレンチ。
【請求項４】
前記ホルダは、
前記無線タグを収容する収容部と、
前記収容部から突出しており、前記トルクレンチ本体の外周面に沿って形成された２つの腕部と、
を備えることを特徴とする請求項２又は請求項３に記載のトルクレンチ。
【請求項５】
締結部材を締め付けるトルクレンチ本体であって、使用者によって保持されるグリップ部と、前記グリップ部に設けられた目盛窓の内側に配置される目盛板と、を有するトルクレンチ本体を備え、
前記グリップ部は、
前記目盛板を前記目盛窓の内側に差し込むための隙間を形成する差し込み部と、
前記差し込み部に装着される蓋部と、を有し、
前記無線タグは、前記隙間に配置されていることを特徴とする請求項１に記載のトルクレンチ。
【請求項６】
前記ホルダは、前記無線タグを内部に含んで拡縮可能な環状に形成され、前記トルクレンチ本体に嵌められることを特徴とする請求項２に記載のトルクレンチ。
【請求項７】
前記ホルダは、前記無線タグを覆い前記トルクレンチ本体に貼り付けられることを特徴とする請求項２に記載のトルクレンチ。
【請求項８】
先端側が締結部材と連結するヘッドと、
前記ヘッドの後端側を収容するとともに、前記ヘッドを回動可能に保持するチューブと、
前記ヘッドおよび前記チューブの相対的な回動を規制し、前記チューブ内に収容されるトルクリミッタと、
前記チューブの基端側に嵌められるグリップ部と、を備え、
前記無線タグは、前記グリップ部と前記チューブとの間に設けられることを特徴とする請求項１に記載のトルクレンチ。
【請求項９】
前記無線タグは、締結部材を締め付けるトルクレンチ本体における使用者によって保持されるグリップ部に埋め込まれていることを特徴とする請求項１に記載のトルクレンチ。
【請求項１０】
締結部材を締め付けるトルクレンチ本体であって、使用者によって保持されるグリップ部と、前記グリップ部に設けられた目盛窓の内側に配置される目盛板と、を有するトルクレンチ本体を備え、
前記無線タグは、前記目盛板の裏側に配置されることを特徴とする請求項１に記載のトルクレンチ。
【請求項１１】
締結部材を締め付けるトルクレンチ本体であって、使用者によって保持されるグリップ部と、前記グリップ部に設けられた目盛窓の内側に配置される目盛板と、を有するトルクレンチ本体を備え、
前記目盛板は、前記無線タグによって構成されていることを特徴とする請求項１に記載のトルクレンチ。
【発明の詳細な説明】
【技術分野】
【０００１】
本発明は、トルクレンチに関する。
【背景技術】
【０００２】
近年、無線タグのリーダライタ機能およびBluetooth（登録商標）等の通信機能を搭載するトルクレンチが知られている（例えば、特許文献１）。特許文献１のトルクレンチは、無線タグ付きのソケットおよび締結対象の無線タグ付きのボルトを識別し、サーバに照合することで、ソケットおよびボルトが正しいものであるかをユーザに通知する。
【先行技術文献】
【特許文献】
【０００３】
【特許文献１】特開２０１６−９３８７３号公報
【発明の概要】
【発明が解決しようとする課題】
【０００４】
特許文献１では、無線タグをソケットやボルトに取り付けることにより、ソケットやボルトの管理を行っている。一方、現場では、トルクレンチ自体の管理をコンピュータで行うことが求められている。
【０００５】
本発明の目的は、コンピュータでの管理を可能とするトルクレンチを提供することである。
【課題を解決するための手段】
【０００６】
本発明のトルクレンチは、受信する電磁波を駆動源として無線通信する無線タグを備えることを特徴とする。
【０００７】
本発明によれば、無線タグが記憶する情報をリーダで読み取ることで、無線タグが取り付けられたトルクレンチの管理をコンピュータで行うことできる。本発明によれば、書き換え可能な無線タグを用いる場合、トルクレンチを校正する度に、無線タグが記憶する校正日をライタで更新できる。このようにすれば、各トルクレンチの校正日を各トルクレンチの無線タグからリーダで読み取ることで、各トルクレンチの校正状況を容易に把握および分析できる。
【０００８】
本発明によれば、トルクレンチに無線タグを設けるだけなので、リーダライタ機能や通信機能を搭載していた従来のトルクレンチに比べ、製造コストを低減できる。
【０００９】
本発明では、締結部材を締め付けるトルクレンチ本体と、無線タグを保持してトルクレンチ本体に着脱可能に装着されるホルダと、を備えることを特徴とする。
【００１０】
本発明によれば、ホルダを利用するので、無線タグをトルクレンチ本体に容易に取り付けることができる。
【００１１】
本発明では、トルクレンチ本体は、締め付けトルクが入力されるヘッドと、締め付けトルクが設定値に達するまでヘッドの回動を規制するスラスタと、ヘッド及びスラスタを連結するトグルと、ヘッドに設けられ、トグルの角度を調整する調整ネジと、ヘッド、スラスタ、トグル、および調整ネジを収容するチューブであって、調整ネジが接触する平坦面を含む凹部と、凹部と対向する位置に形成され、調整ネジを回す冶具が挿入される孔部と、を有するチューブと、を備え、ホルダは、チューブの凹部に取り付けられて孔部を覆うことを特徴とする。
【００１２】
本発明によれば、凹部を利用してホルダをトルクレンチ本体に位置決めすることができるとともに、ホルダにて孔部を覆うことができ、孔部を塞ぐ専用の部材を不要にできる。
【００１３】
本発明では、ホルダは、無線タグを収容する収容部と、収容部から突出しており、トルクレンチ本体の外周面に沿って形成された２つの腕部と、を備えることを特徴とする。
【００１４】
本発明によれば、２つの腕部を外方に拡げて、２つの腕部の間にトルクレンチ本体を差し込むことで、ホルダをトルクレンチ本体に装着できる。本発明によれば、ホルダの構成を簡素にしつつ、ホルダをトルクレンチ本体に容易に取り付けることができる。
【００１５】
本発明では、締結部材を締め付けるトルクレンチ本体であって、使用者によって保持されるグリップ部と、前記グリップ部に設けられた目盛窓の内側に配置される目盛板と、を有するトルクレンチ本体を備え、前記グリップ部は、前記目盛板を前記目盛窓の内側に差し込むための隙間を形成する差し込み部と、前記差し込み部に装着される蓋部と、を有し、前記無線タグは、前記隙間に配置されることを特徴とする。
【００１６】
本発明によれば、目盛板を差し込むための隙間は、目盛板を差し込んだ後ではデッドスペースになる。このデッドスペースを利用して無線タグを設けることにより、トルクレンチを大型化させることなく、無線タグを設けることができる。また、本発明によれば、無線タグが蓋部で覆われるため、トルクレンチの外観の意匠性を良好に維持できる。
【００１７】
本発明では、前記ホルダは、前記無線タグを内部に含んで拡縮可能な環状に形成され、前記トルクレンチ本体に嵌められることを特徴とする。
【００１８】
本発明によれば、無線タグがホルダ内に含まれるので、無線タグの十分な防水性を確保できる。
【００１９】
本発明では、前記ホルダは、前記無線タグを覆い前記トルクレンチ本体に貼り付けられることを特徴とする。
【００２０】
本発明によれば、ホルダをトルクレンチ本体に貼り付けるだけで、トルクレンチを容易にトルクレンチ本体に取り付けることができる。
【００２１】
本発明では、先端側が締結部材と連結するヘッドと、前記ヘッドの後端側を収容するとともに、前記ヘッドを回動可能に保持するチューブと、前記ヘッドおよび前記チューブの相対的な回動を規制し、前記チューブ内に収容されるトルクリミッタと、前記チューブの後端側に嵌められるグリップ部と、を備え、前記無線タグは、前記グリップ部と前記チューブとの間に設けられることを特徴とする。
【００２２】
本発明によれば、無線タグがグリップ部に覆われるので、ワークに対し、無線タグが接触することを防止でき、無線タグおよびワークの双方を保護できる。本発明によれば、無線タグがグリップ部に覆われるので、トルクレンチの意匠を従来と同様に保つことができるとともに、無線タグの十分な防水性を確保できる。
【００２３】
本発明では、前記無線タグは、締結部材を締め付けるトルクレンチ本体における使用者によって保持されるグリップ部に埋め込まれていることを特徴とする。
【００２４】
本発明によれば、無線タグがグリップ部に埋め込まれているので、ワークに対し、無線タグが接触することを防止でき、無線タグおよびワークの双方を保護できる。本発明によれば、無線タグがグリップ部に埋め込まれているので、トルクレンチの意匠を従来と同様に保つことができるとともに、無線タグの十分な防水性を確保できる。
【００２５】
本発明では、締結部材を締め付けるトルクレンチ本体であって、使用者によって保持されるグリップ部と、前記グリップ部に設けられた目盛窓の内側に配置される目盛板と、を有するトルクレンチ本体を備え、前記無線タグは、前記目盛板の裏側に配置されることを特徴とする。
【００２６】
本発明によれば、無線タグがグリップ部の内部に配置されるので、ワークに対し、無線タグが接触することを防止でき、無線タグおよびワークの双方を保護できる。本発明によれば、無線タグがグリップ部の内部に配置されるので、トルクレンチの意匠を従来と同様に保つことができるとともに、無線タグの十分な防水性を確保できる。
【００２７】
本発明では、締結部材を締め付けるトルクレンチ本体であって、使用者によって保持されるグリップ部と、前記グリップ部に設けられた目盛窓の内側に配置される目盛板と、を有するトルクレンチ本体を備え、前記目盛板は、前記無線タグによって構成されていることを特徴とする。
【００２８】
本発明によれば、目盛板は、無線タグによって構成されているので、目盛板を設置することで無線タグを設置できる。本発明によれば、無線タグがグリップ部の内部に配置されるので、ワークに対し、無線タグが接触することを防止でき、無線タグおよびワークの双方を保護できる。本発明によれば、無線タグがグリップ部の内部に配置されるので、トルクレンチの意匠を従来と同様に保つことができるとともに、無線タグの十分な防水性を確保できる。
【図面の簡単な説明】
【００２９】
【図１】トルクレンチの平面図である。
【図２】トルクレンチの側面図。
【図３】ホルダの斜視図である。
【図４】ホルダの側面図である。
【図５】トルクレンチの平面図である。
【図６】ヘッドおよびトルクリミッタの模式図である。
【図７】トルクレンチの外観図である。
【図８】トルクリミッタおよび調整機構の模式図である。
【図９】トルクレンチの平面図である。
【図１０】トルクレンチの平面図である。
【図１１】トルクレンチの調整機構を示す断面図である。
【発明を実施するための形態】
【００３０】
以下、図面に基づいて各実施形態を説明する。
（第１実施形態）
図１は、トルクレンチ１００の平面図である。
トルクレンチ１００は、トルクレンチ本体１０と、ホルダ９と、無線タグ４とを備える。
【００３１】
トルクレンチ本体１０は、ボルト等の締結部材を回転させて所定のトルクで締結部材を締め付ける。トルクレンチ本体１０は、ヘッド１、チューブ２、グリップ部３を備える。
【００３２】
ヘッド１は、チューブ２内に延びている。ヘッド１において、チューブ２から露出する部位がヘッド本体部１１となる。以降、先端側とは、トルクレンチ１００の軸方向において、該ヘッド本体部１１がある側を指し、後端側とは、トルクレンチ１００の軸方向において、グリップ部３がある側を指す。
【００３３】
ヘッド本体部１１は、締結部材と連結する。ヘッド本体部１１は、右回りか左回りでの締め付けのみを可能とするラチェット機構を備えるラチェットヘッドである。ヘッド本体部１１の角ドライブ部１１１（図２）には、締結部材と係合するソケットが取り付けられる。ヘッド本体部１１は、オープンスパナヘッドやリングヘッドであってもよい。ヘッド１は、交換式であってもよい。
【００３４】
ヘッド本体部１１が締結部材と係合した状態でグリップ部３を回転させることで、グリップ部３からヘッド１に締め付けトルクが伝達され、締結部材を締め付けることができる。ヘッド１は、チューブ２に対して、ヘッドピン１１２を中心に回動可能に設けられている。チューブ２内においてヘッド１よりも後端側には、トルクリミッタが設けられている。締結部材に対する締め付けトルクが設定値に達するまでは、トルクリミッタによって、ヘッド１及びチューブ２の相対的な回動が規制される。締め付けトルクが設定値に達すると、トルクリミッタによる規制が解除されて、ヘッド１及びチューブ２が相対的に回動する。そして、ヘッド１及びチューブ２の衝突によってクリック音が発生し、このクリック音によって、使用者は、締め付けトルクが設定値に達したことを確認することができる。トルクリミッタの構成は、第２実施形態にて説明する。
【００３５】
チューブ２は、トルクレンチ本体１０の軸方向に延びており、偏平な筒状である。チューブ２は、ヘッド１の一部やトルクリミッタを収容する。チューブ２の後端部にグリップ部３が嵌められている。
【００３６】
ホルダ９は、無線タグ４を保持しており、トルクレンチ本体１０に着脱可能である。ホルダ９は、チューブ２の先端側に嵌められている。ホルダ９の具体的な形状については後述する。
【００３７】
無線タグ４は、受信する電磁波を駆動源とするパッシブ型のＲＦＩＤ（Radio Frequency IDentification)である。無線タグ４は、通信周波数が９００ＭＨｚ帯（ＵＨＦ帯）であり、通信可能距離は１〜３ｍ程度である。なお、無線タグ４の周波数は、１３．５６ＭＨｚや２．４５ＧＨｚであってもよく、どの帯域であってもよい。
【００３８】
無線タグ４は、無線回路部、アンテナ、メモリ、制御回路部、これらの要素を封止する封止材を備える。無線回路部は、アンテナで受信する電磁波から電力を取り出して整流および昇圧する。制御回路部は、アンテナがリーダライタから質問信号や書き込み信号を含んだ電磁波を受信すると、無線回路部で生じる電力により動作する。制御回路部は、例えばメモリ内の情報を読み出し、該情報を応答信号として、無線回路部を制御することによりアンテナを介してリーダライタへ送信する。また、制御回路部は、例えばリーダライタから受信する書き込み信号に基づいてメモリ内へデータを書き込む。
【００３９】
メモリは、読み出しおよび書き込み可能なデータを記憶する。例えば、メモリは、該無線タグ４の識別情報やトルクレンチ１００の管理データ、すなわち、トルクレンチ１００の校正日（年月日）、製品番号、製造年月日を記憶する。トルクレンチ１００の管理データは、無線タグ４を備えたホルダ９がトルクレンチ本体１０に取り付けられた後、リーダライタによって無線タグ４のメモリに書き込まれてもよい。
【００４０】
工場等にて複数のトルクレンチ１００を使用する場合、作業者は、例えばトルクレンチ１００を校正する度に、リーダライタを用いて、無線タグ４が記憶するトルクレンチ１００の校正日（年月日）を書き換えてもよい。作業者は、定期的に、工場にある複数のトルクレンチ１００の無線タグ４から管理データを読み出し、コンピュータに送信してもよい。このようにすることで、作業者は、コンピュータを用いて各トルクレンチ１００の校正状況や使用年数を容易に把握および分析できる。
【００４１】
無線タグ４は、既存のトルクレンチ（本実施形態のトルクレンチ本体１０）に着脱可能である。そのため、既存のトルクレンチに無線タグ４を取り付けることで、既存のトルクレンチの校正日等をコンピュータで管理できるようになる。
【００４２】
図３は、ホルダ９の斜視図であり、図４は、ホルダ９の側面図である。ホルダ９は、金属製であり、２つの腕部９１，９２と、収容部９３とを備える。
【００４３】
腕部９１，９２は、それぞれＵ字状であり、凹部が向い合せとなるように互いに対向する。腕部９１，９２の基端９１１，９２１は、収容部９３の底面部に接続している。腕部９１，９２の先端９１２，９２２は、互いに離れている。先端９１２，９２２の間には、隙間Ｓ１が形成されている。腕部９１，９２を外方（先端９１２，９２２が離れる方向）に拡げ、隙間Ｓ１にチューブ２を差し込むことで、ホルダ９をチューブ２に装着できる。本実施形態では、ホルダ９を簡素な構成にすることができるとともに、ホルダ９をトルクレンチ本体１０に容易に取り付けることができる。
【００４４】
収容部９３は箱状である。収容部９３では、ホルダ９の内側に位置する側の壁面が無く開口部９３１となっている。無線タグ４は、開口部９３１から収容部９３内に入れられ、収容部９３内に設けられる。このため、無線タグ４に傷などが付くことを防止することができる。無線タグ４の厚みは、収容部９３の深さと略同一となる。収容部９３の底に位置し開口部９３１と対向する面９３２には、円形の開口部９３３が形成されている。開口部９３３は、無線タグ４を外部に露出させ、無線タグ４の通信性を向上させる。
【００４５】
ホルダ９の内周面（チューブ２と対向する面）には、腕部９１，９２の内面など、無線タグ４を覆わない位置に滑り止め部９４が貼られている。滑り止め部９４は、ゴムなどの弾性変形可能な材料で形成されており、ホルダ９がチューブ２の所定の取り付け位置からずれることを抑制する。
【００４６】
（第２実施形態）
図５は、トルクレンチ１００Ａの平面図である。
トルクレンチ１００Ａのトルクレンチ本体１０は、第１実施形態のトルクレンチ本体１０と同様の構成である。チューブ２の後端側には、孔部１２および凹部１３がある。孔部１２は、トルクレンチ本体１０の軸方向と直交する方向において、凹部１３と対向する位置にある。チューブ２の内部には、後述する調整ネジ５３（図６）がある。孔部１２には、調整ネジ５３を締める冶具（不図示）を挿入できる。凹部１３の底は平坦面１３１となっている。凹部１３の幅は、ホルダ９の腕部９１，９２の幅より僅かに大きい。
【００４７】
本実施形態では、ホルダ９が、チューブ２の凹部１３に取り付けられている点で第１実施形態と異なる。ホルダ９は、一方の腕部９１（又は腕部９２）が凹部１３に嵌められて位置決めされる。このとき、他方の腕部９２（又は腕部９１）は、孔部１２を覆う。
【００４８】
本実施形態では、ホルダ９によって孔部１２を覆うことができ、孔部１２を塞ぐ専用の部材を不要にできる。また、第１実施形態と同様に、ホルダ９の内周面に滑り止め部９４が設けられているので、滑り止め部９４が孔部１２に密着し、チューブ２の内部への防水性、防塵性を良好にできる。
【００４９】
図６は、ヘッド１およびトルクリミッタ５の模式図である。以下、ヘッド１およびトルクリミッタ５の構成と、孔部１２および凹部１３の役割を説明する。
【００５０】
トルクレンチ本体１０は、ヘッド１やチューブ２、グリップ部３の他、トルクリミッタ５を備える。トルクリミッタ５は、トグル５１、スラスタ５２、および調整ネジ５３を備える。
【００５１】
トグル５１は、ヘッド１の後端部とスラスタ５２を連結する。
【００５２】
スラスタ５２は、ヘッド１に入力される締め付けトルクが設定値に達するまでヘッド１の回動を規制する。スラスタ５２とチューブ２の内壁面との間には、回転可能なローラ５２１が設けられている。スラスタ５２は、トルクレンチ本体１０の軸方向に移動可能に設けられている。スラスタ５２の後端部が、バネ受けシート５４を介してバネ５５の付勢力を受けることにより、スラスタ５２は、トルクレンチ本体１０の先端側（図６中左側）に付勢されている。
【００５３】
ヘッド１により締結部材を締め付ける際に、ヘッド１には、締め付けトルクが入力される。ヘッド１は、締め付けトルクにより、スラスタ５２を後端側（図６中右側）に押し返すように回動しようとする。ヘッド１に入力される締め付けトルクが設定値に達すると、ヘッド１によるスラスタ５２を押し返す力が、スラスタ５２によるヘッド１を抑える力を超える。すると、トグル５１が回動し、作業者の感じる締め付けトルクが急激に低下する。同時に、ヘッド１の後端部が図６中上側に急激に回動し、チューブ２の内壁面を叩き、クリック音を生じさせる。締め付けトルクの急激な低下とクリック音の発生により、作業者は、締結部材の締め付けトルクが設定値に達したことを確認できる。
【００５４】
ヘッド１の後端部には、調整ネジ５３が貫通する。調整ネジ５３は、ヘッド１の後端部からの突出量により、トグル５１の角度を規定する。調整ネジ５３の端部は、チューブ２の内側において、凹部１３の平坦面１３１に当接する。調整ネジ５３の頭部には六角穴がある。六角穴に、チューブ２の孔部１２から挿入した冶具を嵌めることで、調整ネジ５３を回すことができる。調整ネジ５３を回し、ヘッド１の後端部からの調整ネジ５３の突出量を調整することで、トグル５１の角度を調整できる。
【００５５】
本実施形態では、トルクリミッタ５を設けるために、チューブ２に凹部１３を設けているが、該凹部１３を利用することにより、チューブ２に対するホルダ９のずれを抑制できる。また、ホルダ９を凹部１３に嵌め込むと、ホルダ９の腕部９１（又は腕部９２）が孔部１２を塞ぐため、ホルダ９に２つの機能（無線タグ４を保持する機能と、孔部１２を塞ぐ機能）を持たせることができる。
【００５６】
（第３実施形態）
図７は、トルクレンチ１００Ｂの外観図である。
トルクレンチ１００Ｂは、締め付けトルクの設定値を作業者が調整できるようになっている。トルクレンチ１００Ｂは、トルクレンチ本体１０と、無線タグ４とを備える。
【００５７】
トルクレンチ本体１０は、ヘッド１、チューブ２、グリップ部３、および回転ダイヤル６を備える。ヘッド１は、図１，図５のヘッド１と同様の構成である。
【００５８】
図８は、トルクリミッタ５および、締め付けトルクの設定値を調整するための調整機構７の模式図である。
チューブ２内において、ヘッド１の後端側には、締め付けトルクが設定値に達するまでヘッド１の回動を規制するトルクリミッタ５がある。トルクリミッタ５は、図６のトルクリミッタ５と同様の構成であり、トグル５１やスラスタ５２、バネ受けシート５４を備える。
【００５９】
トルクリミッタ５の後端側には、締め付けトルクの設定値を調整する調整機構７がある。調整機構７は、ネジ軸７１およびスライダ７２を備え、チューブ２および回転ダイヤル６の内部に収容されている。ネジ軸７１は、トルクレンチ１００Ｂの中心軸に沿って配置されており、回転ダイヤル６を回転させると、ネジ軸７１が回転する。スライダ７２は、ネジ軸７１に螺合しており、ネジ軸７１周りの回転が規制された状態で、ネジ軸７１に沿って移動する。スライダ７２と、トルクリミッタ５のバネ受けシート５４との間には、バネ受けシート５４を付勢するバネ５５が配置されている。
【００６０】
回転ダイヤル６の回転によりネジ軸７１が回転すると、スライダ７２がネジ軸７１の軸方向に移動し、トルクリミッタ５のバネ５５の長さを変更する。これにより、トルクリミッタ５による締め付けトルクの設定値が調整される。
【００６１】
図７に戻り、グリップ部３の内部には、締め付けトルクの設定値を示すための主目盛板２１と、主目盛板２１の目盛を指す指針２２が組み込まれている。指針２２は、チューブ２のスリット２３を貫く連結部によって、スライダ７２に連結されている。回転ダイヤル６の回転によってスライダ７２が移動して、締め付けトルクの設定値が調整されるのに伴い、指針２２が移動し、主目盛板２１において、調整後の締め付けトルクの設定値を指し示す。また、回転ダイヤル６の回転に伴い、副目盛窓３２２にある副目盛の表示も変更されるようになっている。
【００６２】
グリップ部３は、目盛窓３１と、差し込み部３２と、蓋部３３と、を備える。
【００６３】
目盛窓３１は、ガラスや樹脂等の光透過性を有する材料で形成されている。目盛窓３１は、主目盛板２１および指針２２を覆っており、トルクレンチ１００Ｂの外部から目盛窓３１１を介して主目盛板２１および指針２２を視認することができる。
【００６４】
差し込み部３２には、蓋部３３が装着される。また、差し込み部３２には、隙間Ｓ２が形成されており、この隙間Ｓ２は、グリップ部３の内部に主目盛板２１を差し込むために用いられる。すなわち、差し込み部３２から蓋部３３を取り外しておき、隙間Ｓ２からグリップ部３の内部に向かって主目盛板２１をスライドさせることにより、目盛窓３１１の内側に主目盛板２１を配置することができる。この隙間Ｓ２には、無線タグ４が設置されている。隙間Ｓ２では、チューブ２が露出しているため、無線タグ４は、チューブ２に対して両面テープ等により貼り付けられている。
【００６５】
図７では、差し込み部３２および無線タグ４を図示するために、蓋部３３を差し込み部３２から外した状態を示している。蓋部３３を差し込み部３２に組み付ける際には、蓋部３３は、図７の姿勢からトルクレンチ１００Ｂの後端側（図７の右側）へ押し込まれる。これにより、蓋部３３は、差し込み部３２に装着される。このとき、蓋部３３の内側には、無線タグ４が収容される。
【００６６】
本実施形態では、主目盛板２１をグリップ部３に組み込むために設けられている差し込み部３２の隙間Ｓ２を利用して、無線タグ４を設けている。主目盛板２１をグリップ部３に組み込んだ後、隙間Ｓ２はデッドスペースになるが、この隙間Ｓ２を利用して無線タグ４を配置することにより、トルクレンチ１００Ｂを大型化させることなく、無線タグ４を設けることができる。また、本実施形態では、無線タグ４が蓋部３３で覆われるため、無線タグ４に傷や汚れ等が付くことを防止できるとともに、トルクレンチ１００Ｂの外観の意匠性を良好に維持できる。
【００６７】
（第４実施形態）
図９は、トルクレンチ１００Ｃの平面図である。
本実施形態では、無線タグ４Ｃは、長尺状、かつ可撓性を有するＲＦＩＤである。
【００６８】
ホルダ９Ｃは、シリコーン製や樹脂製、ゴム製であり、環状かつバンド状に形成され、内部に無線タグ４Ｃを含む。ホルダ９Ｃは、弾性変形可能な材料で形成すれば、この径方向に拡縮可能である。ホルダ９Ｃは、トルクレンチ本体１０のヘッド本体部１１側、またはグリップ部３側からチューブ２上まで通された後、チューブ２上の適宜の位置で、拡張状態で該チューブ２に嵌められる。
【００６９】
ホルダ９Ｃのチューブ２上における取付位置は、図９に示すように、ヘッド本体部１１側であってもよいし、図９にて一点鎖線で示すように、グリップ部３側であってもよく、適宜の位置でよい。トルクレンチ１００Ｃが、ボルトの頭にインクを塗布するマーキングトルクレンチである場合、チューブ２上においてヘッド本体部１１側から中央部上まで、インクを収容するカートリッジが積載される。この場合、ホルダ９Ｃは、カートリッジが積載されないチューブ２上のグリップ部３側に取り付けることができる。チューブ２上には、その他、ダイヤルやディスプレイユニット等の積載機器が積載されることがあるが、ホルダ９Ｃは、チューブ２上における積載機器が積載されない箇所に取り付けられればよい。
【００７０】
本実施形態では、ホルダ９Ｃ内に無線タグ４Ｃが設けられるので、無線タグ４Ｃの防水性を良好にできる。
【００７１】
なお、無線タグ４Ｃは、長尺状でなくてもよく、円形等、どのような形状であってもよい。無線タグ４Ｃは、ホルダ９Ｃの裏面または表面に取り付けられてもよい。ホルダ９Ｃは、長尺のバンド状であってもよく、ホルダ９Ｃの長手方向の両端部同士が、適宜の接続分離機構により接続、分離してもよい。接続分離機構としては、ホックや面ファスナーを用いたものや、一端部側の突起が他端部側の孔に通されて他端部側に引っかかることで両端部同士が接続するようになっているものが挙げられる。無線タグ４Ｃは、無線回路部、アンテナ、メモリ、制御回路部、これらの要素を封止する封止材（外装材）を備えるところ、ホルダ９Ｃが封止材を兼ねていてもよい。
【００７２】
（第５実施形態）
第４実施形態では、ホルダ９Ｃは、環状かつバンド状であり拡縮可能に形成されていた。本実施形態では、ホルダ９Ｃ（図９）は、無線タグ４Ｃを覆い無線タグ４Ｃをトルクレンチ本体１０に貼り付けるテープである。本実施形態では、容易に無線タグ４Ｃをトルクレンチ本体１０に取り付けることができる。
【００７３】
（第６実施形態）
図１０は、トルクレンチ１００Ｄの平面図である。
本実施形態では、無線タグ４Ｄは、チューブ２の後端に嵌められているグリップ部３とチューブ２との間に設けられている。無線タグ４Ｄは、グリップ部３の長手方向に沿って配置されているものとするが、どのような姿勢で配置されていてもよく、グリップ部３の周方向に沿って配置されていてもよい。グリップ部３の内周面に無線タグ４Ｄを収容するための凹部があってもよい。無線タグ４Ｄは、グリップ部３に埋め込まれていてもよい。
【００７４】
本実施形態では、締結部材が取り付けられるワークに無線タグ４Ｄが接触することを防止できるので、無線タグ４Ｄおよびワークの双方を保護できる。
【００７５】
（第７実施形態）
図１１は、トルクレンチ１００Ｅの調整機構７を示す断面図である。図１１は、第３実施形態の図８の調整機構７部分に対応している。
【００７６】
第３実施形態では、図７に参照されるように、無線タグ４は、グリップ部３の蓋部３３の内側、かつ差し込み部３２の間に配置された。本実施形態では、無線タグ４Ｅは、締め付けトルクの設定値を示すための主目盛板２１の裏面に貼り付けられ、主目盛板２１とチューブ２の間に配置されている。無線タグ４Ｅは、指針２２と干渉しない位置に配置される。例えば、無線タグ４Ｅは、長尺状であり、指針２２の移動経路の脇に、指針２２の移動経路に沿った姿勢で配置される。
【００７７】
本実施形態でも、ワークに無線タグ４Ｅが接触することを防止できるので、無線タグ４Ｅおよびワークの双方を保護できる。また、本実施形態では、無線タグ４Ｅは、主目盛板２１に固定されているため、無線タグ４Ｅを主目盛板２１と共にグリップ部３の内側に組み込むことができる。
【００７８】
（第８実施形態）
第７実施形態では、無線タグ４Ｅは、主目盛板２１の裏面に貼り付けられていた。本実施形態では、主目盛板２１が無線タグによって構成されている。すなわち、無線タグ（主目盛板２１）は、無線回路部、アンテナ、メモリ、制御回路部、これらの要素を封止する封止材（外装材）を備えるところ、封止材の外面に目盛が付されている。主目盛板２１は、例えば隙間を開けて並設された２つの無線タグによって構成され、無線タグ間の隙間が、指針２２の移動スペースとなっていてもよい。
【００７９】
前記第３、７実施形態、および本実施形態の上記主目盛板２１の構成例では、指針２２が主目盛板２１の幅方向中央を主目盛板２１の長手方向に沿って移動する例を説明した。しかし、主目盛板２１は、長手状の無線タグによって構成され、指針２２は、主目盛板２１の縁の外側を主目盛板２１の縁に沿って移動してもよい。
【００８０】
本実施形態でも、ワークに無線タグが接触することを防止できるので、無線タグおよびワークの双方を保護できる。
【００８１】
（変形例）
無線タグ４、４Ｃ、４Ｄ、４Ｅは、読み出し専用であってもよい。この場合であっても、コンピュータにおいて、無線タグ４、４Ｃ、４Ｄ、４Ｅの識別情報に、無線タグ４、４Ｃ、４Ｄ、４Ｅが取り付けられるトルクレンチ１００、１００Ａ〜１００Ｅの情報を対応付ければよい。このようにすれば、各トルクレンチ１００、１００Ａ〜１００Ｅの無線タグ４、４Ｃ、４Ｄ、４Ｅからリーダにより識別情報を読み出すことで、トルクレンチ１００、１００Ａ〜１００Ｅが規定数揃っているか等といった、トルクレンチ１００、１００Ａ〜１００Ｅの管理をコンピュータで行うことができる。
【符号の説明】
【００８２】
１…ヘッド、２…チューブ、３…グリップ部、４、４Ｃ、４Ｄ、４Ｅ、２１…無線タグ、６…回転ダイヤル、９、９Ｃ…ホルダ、１０…トルクレンチ本体、１２…孔部、１３…凹部、２１…主目盛板、２２…指針、３１…目盛窓、３２…差し込み部、３３…蓋部、５１…トグル、５２…スラスタ、５３…調整ネジ、９１，９２…腕部、９３…収容部、１００、１００Ａ〜１００Ｅ…トルクレンチ、１３１…平坦面、Ｓ１，Ｓ２…隙間。
【図１】
2018058195.tif 000003
【図２】
2018058195.tif 000004
【図３】
2018058195.tif 000005
【図４】
2018058195.tif 000006
【図５】
2018058195.tif 000007
【図６】
2018058195.tif 000008
【図７】
2018058195.tif 000009
【図８】
2018058195.tif 000010
【図９】
2018058195.tif 000011
【図１０】
2018058195.tif 000012
【図１１】
2018058195.tif 000013